(57)【要約】油圧システムは、動力源、流体置換アッセンブリ、複数のアクチュエータ、複数の制御バルブ、および電子制御ユニットを含む。流体置換アッセンブリは、動力源に接続される。前記複数のアクチュエータは、前記流体置換アッセンブリと選択的に流体連通される。前記複数の制御バルブは、前記流体置換アッセンブリと前記複数のアクチュエータとの間で、選択的に流体連通をするように適合される。前記電子制御ユニットは、前記複数の制御バルブを作動するように適合され、動力源の回転速度を受信し、動力源の点火周波数に基づく前記複数の制御バルブに対するパルス幅変調信号の周波数を選択し、パルス幅変調信号の周波数にしたがって、前記複数の制御バルブを作動する。【選択図】図１
2012506016.tif 000002
【特許請求の範囲】
【請求項１】
可変速要素からの入力を受信し、
前記入力に基づいて前記可変速要素の周波数を決定し、
前記可変速要素の周波数に基づいて、油圧システムの制御バルブに対するパルス幅変調信号の周波数を選択し、
前記パルス幅変調信号の選択された周波数に従って前記制御バルブを作動する方法からなる、油圧システムの制御バルブの作動方法。
【請求項２】
前記油圧システムは、前記制御バルブと選択的に流体連通されるアクチュエータを含む請求項１の油圧システムの制御バルブの作動方法。
【請求項３】
前記可変速要素は、動力源である請求項１の油圧システムの制御バルブの作動方法。
【請求項４】
前記パルス幅変調信号の周波数は、前記周波数のハーモニック周波数である請求項１の油圧システムの制御バルブの作動方法。
【請求項５】
前記パルス幅変調信号の周波数は、前記周波数のサブハーモニック周波数である請求項１の油圧システムの制御バルブの作動方法。
【請求項６】
前記パルス幅変調信号の周波数は、前記可変速要素の前記周波数と略等しい請求項１の油圧システムの制御バルブの作動方法。
【請求項７】
前記入力は、エンジン、流体ポンプ、流体モータ、およびインプリメントの内の一つの回転速度である請求項１の油圧システムの制御バルブの作動方法。
【請求項８】
前記可変速要素の前記周波数が作動リミットより大きい場合、前記制御バルブのパルス幅変調信号の周波数が、前記周波数のサブハーモニック周波数であるように選択される請求項１の油圧システムの制御バルブの作動方法。
【請求項９】
可変速要素から第１入力を受信し、
前記可変速要素から第２入力を受信し、
前記第２入力を所定リミットと比較し、
前記第２入力が前記所定リミットの範囲内にあれば、周波数トラッキングを可能とし、
前記周波数トラッキングは、前記第１入力に基づく前記可変速要素の周波数を決定し、
油圧システムの制御バルブに対して、前記可変速要素の周波数に基づいて制御バルブ作動周波数を選択し、
前記制御バルブ作動周波数に従って前記制御バルブを作動する、
油圧システムの制御バルブの作動方法。
【請求項１０】
前記第１入力は、前記可変速要素の回転速度である請求項９に記載の油圧システムの制御バルブの作動方法。
【請求項１１】
前記所定リミットが、上限値である請求項９に記載の油圧システムの制御バルブの作動方法。
【請求項１２】
前記制御バルブ作動周波数は、前記可変速要素の周波数のハーモニック周波数である請求項９に記載の油圧システムの制御バルブの作動方法。
【請求項１３】
前記制御バルブ作動周波数は、前記可変速要素の周波数のサブハーモニック周波数である請求項９に記載の油圧システムの制御バルブの作動方法。
【請求項１４】
前記可変速要素は、エンジン、流体ポンプ、流体モータ、電気モータおよびインプリメントからなるグループから選択される請求項９に記載の油圧システムの制御バルブの作動方法。
【請求項１５】
油圧システムから第３入力を受信し、
前記第３入力を第２の所定リミットと比較し、
前記第２入力が前記所定リミットの範囲内であり、かつ、前記第３入力が前記第２の所定リミットの範囲内であれば、周波数トラッキングが可能である、
請求項９に記載の油圧システムの制御バルブの作動方法。
【請求項１６】
動力源、
前記動力源に接続される流体置換アッセンブリ、
前記流体置換アッセンブリと選択的に流体連通する複数のアクチュエータ、
前記流体置換アッセンブリと前記複数のアクチュエータとの間で、選択的に流体連通するのに適した複数の制御バルブ、
前記複数の制御バルブを作動するために適した電子制御ユニット、
からなり、
前記電子制御ユニットは、
前記動力源の回転速度を受信し、
前記回転速度に基づく前記動力源の第１周波数を決定し、
前記動力源の点火周波数に基づき、複数の制御バルブに対するパルス幅変調の周波数を決定し、そして、
前記パルス幅変調信号の周波数に従って複数の制御バルブを作動する、
油圧システム。
【請求項１７】
前記複数の制御バルブのそれぞれは、二方の、２位置デジタル弁である請求項１６に記載の油圧システム。
【請求項１８】
前記動力源が、エンジンである請求項１６に記載の油圧システム。
【請求項１９】
前記動力源の回転速度が、CAN−バスを通じて受信される請求項１６に記載の油圧システム。
【請求項２０】
前記パルス幅変調信号の周波数と前記点火周波数とは、ハーモニック周波数である請求項１６に記載の油圧システム。
【発明の詳細な説明】
【技術分野】
【０００１】
油圧システム（油圧装置）は、ホイールローダー、スキッドステアローダー、掘削機等のような、種々のオンあるいはオフ・ハイウエイ商用車に使用される。これら油圧システムは、概して、アクチュエータのような、望まれる位置へ液を供給するポンプを使用する。アクチュエータは、車両に対し、いろいろな応用に使用される。たとえば、アクチュエータは、車両を推進し、ブームを上げ下げする等に使用できる。
【０００２】
油圧システムは、いろいろなアクチュエータへ、液の分布を制御するためにいろいろなバルブを使用してもよい。たとえば、油圧システムは、液調整器（調整バルブ）、圧力解放バルブ、方向制御バルブ等を含む。
【発明の概要】
【０００３】
本発明の態様は、油圧システムの制御バルブ（弁）の作動方法に関する。この方法は、可変速要素からの入力を受けることを含む。可変速要素の周波数（振動数）は、入力に基づいて決定される。油圧システムの制御バルブに対するパルス幅変調信号の周波数は、選択されるものである。パルス幅変調信号の選択された信号は、可変速要素の周波数に基づいている。制御バルブは、パルス幅変調信号の選択された周波数にしたがって作動する。
【０００４】
本発明の他の態様は、油圧システムの制御バルブの作動方法に関する。この方法は、可変速要素からの第１入力を受信することを含む。可変速要素からの第２入力が、受信される。第２入力は、所定の限界（リミット）と比較される。第２入力が所定リミットの範囲内であれば、周波数（振動数）トラッキングが可能である。周波数トラッキングは、第１入力に基づく可変速要素の周波数を決定すること、可変速要素の周波数に基づく油圧システムの制御バルブの制御バルブ作動周波数を選択すること、そして、制御バルブ作動周波数にしたがって制御バルブを作動すること、を含む。
【０００５】
本発明の他の特徴は、油圧システムに関する。油圧システムは、動力源を含む。流体置換アッセンブリは、動力源に接続される。複数のアクチュエータは、流体置換アッセンブリと流体によって選択的に連通する。複数の制御バルブは、複数のアクチュエータと流体置換アッセンブリとの間で、選択的な流体連通を行うために適用される。電子制御ユニットは、複数の制御バルブを作動するように適合させ、動力源の回転速度を受信し、回転速度に基づく動力源の点火周波数（点火振動数）を決定し、動力源の点火周波数に基づく複数の制御バルブへのパルス幅変調信号の周波数を選択し、パルス幅変調信号の周波数にしたがって複数の制御バルブを作動する。
【０００６】
いろいろな付加的な態様が、以下の記述で設定されている。これらの態様は、個々の特徴や、特徴の組み合わせに関するものである。前記の全般的記述や後記の詳細な記述の双方は、例であり、また単なる解説であって、ここに開示された実施形態に基づく広い概念を制限するものではない。
【図面の簡単な説明】
【０００７】
【図１】図１は、本発明の原理に従う態様の例示的特徴を有する油圧システムの略図である。
【図２】図２は、第２の位置にある第１の制御バルブを備える油圧システムの略図である。
【図３】図３は、第２の位置にある第２の制御バルブを備える油圧システムの略図である。
【図４】図４は、第２の位置にある第３の制御バルブを備える油圧システムの略図である。
【図５】図５は、第２の位置にある第４の制御バルブを備える油圧システムの略図である。
【図６】図６は、油圧システムの制御バルブを作動させる方法を表したものである。
【図７】図７は、油圧システムの制御バルブを作動させる他の方法を表したものである。
【図８】図８は、油圧システムの制御バルブを作動させる他の方法を表したものである。
【図９】図９は、油圧システムの制御バルブを作動する他の方法を表したものである。
【図１０】図１０は、油圧システムの制御バルブを作動する他の方法を表したものである。
【図１１】図１１は、油圧システムの制御バルブを作動する他の方法を表したものである。
【発明を実施するための形態】
【０００８】
参考として、添付の図面に描かれている本発明の例示的態様が、詳細に説明される。可能な限り、同じ参照符号は同一のもの又は同様な構造を参照するために、通して使用される。
【０００９】
図１において、油圧システム（油圧装置）１０の略図が示されている。本発明の一態様で、油圧システム１０は、建設及び／又は農業に使用されるオフ・ハイウエイ車両（すなわち、  ホイールローダー、スキッド―ステアローダー、掘削機等）のような車両１２に配置される。
【００１０】
油圧システム１０は、ポンプアッセンブリ１４とアクチュエータ１６を含んでいる。ポンプアッセンブリ１４は、シャフト１８、流体置換アッセンブリ２０、および複数の制御バルブ２２を含んでいる。
【００１１】
ポンプアッセンブリ１４のシャフト１８は、第一端部２４と、反対側に配置される第二端部２６を含んでいる。第一端部２４は、動力源２８に接続されている。本発明の一態様では、動力源２８は、車両１２のエンジンである。シャフト１８の第二端部２６は、流体置換アッセンブリ２０に接続され、動力源２８によってシャフト１８の回転は、流体置換アッセンブリ２０に回転を起こさせる。
【００１２】
ポンプアッセンブリ１４の流体置換アッセンブリ２０は、流体入口３０と流体出口３２を有する。本発明の一態様では、流体置換アッセンブリ２０は、固定された置換アッセンブリである。そのため、シャフト１８の１回転で、流体置換アッセンブリ２０の流体入口３０と流体出口３２を流れる液量は、概して一定である。本発明で「概して一定である（generally constant）」の用語は、流体置換アッセンブリ２０のポンピング要素（すなわち、ピストン、翼、ゲロ―タ  スター  ティース（gerotor star teeth）、歯車等 ）によって起こされる流量のリップル（波及）効果により、シャフト１８の１回転での流体置換アッセンブリ２０を流れる液体の量の偏差（はずれ）を説明している。固定された置換アッセンブリとして、流体置換アッセンブリ２０は、シャフト１８の１回転中、流体置換アッセンブリ２０を流れる流体の量を、増加あるいは減少させたりするように調整することができない。
【００１３】
複数の制御バルブ２２は、アクチュエータ１６を流れる液体の量を、効率的に増加あるいは減少させるように調整する。本発明の一態様では、ポンプアッセンブリ１４の複数の制御バルブ２２のそれぞれは、二方弁、二位置弁型のバルブである。二方弁、二位置弁型バルブである制御バルブ２２のそれぞれには、第１位置P1、第２位置P2がある。第１位置P1において、制御バルブ２２は、制御バルブ２２を流れる流体を阻止する。第２位置P2において、制御バルブ２２は、制御バルブ２２に流体が流れるようにする。複数の制御バルブ２２のそれぞれは、パルス幅変調を使用する第１、第２の位置P1,P2の間で、周期的に繰り返えされる。複数の制御バルブ２２のそれぞれを液体が流れる割合は、複数の制御バルブ２２のそれぞれが第２位置P2にある時間の長さによる。言い換えれば、複数の制御バルブ２２のそれぞれを流れる液体の量は、複数の制御バルブ２２のパルス幅変調信号のデューティサイクルに依存し、このデューティサイクルは、パルス幅変調信号の期間を越えた第２位置P2にある制御バルブ２２の時間の合計に等しい。
【００１４】
本発明の一態様では、制御バルブ２２は、高速作動（ファーストアクティング）デジタル制御バルブである。油圧システム１０の使用に適したデジタル制御バルブは、米国特許出願１２／４２２,８９３に記載されており、その全体が参照されることにより本発明に含まれる。高速作動デジタル制御バルブ２２として、制御バルブ２２は、第１、第２位置P1、P2 間で、急速に作動可能である。本発明の一態様において、制御バルブ２２は、第１と第２の位置間で、１ｍｓ未満あるいは約１ｍｓに等しい時間で作動できる。制御バルブ２２は、電子制御ユニット（ECU）３４からの電子信号、油圧パイロット信号、またはそれらの組み合わせに応じて作動可能である。
【００１５】
図１に描かれた形態で、複数の制御バルブ２２は、第１制御バルブ２２a、第２制御バルブ２２b、第３制御バルブ２２c、および第４制御バルブ２２dを含む。第１制御バルブ２２aは、流体置換アッセンブリ２０の流出口３２と第１アクチュエータ１６aとの間で、選択的に流体連通を行うように適応される。第２制御バルブ２２bは、流体置換アッセンブリ２０の流出口３２と第１アクチュエータ１６bとの間で、選択的に流体連通を行うように適応される。第３制御バルブ２２cは、流体置換アッセンブリ２０の流出口３２と第１アクチュエータ１６cとの間で、選択的に流体連通を行うように適応される。一方、第４制御バルブ２２dは、流体置換アッセンブリ２０の流出口３２と流体置換アッセンブリ２０の流入口３０との間で、選択的に流体連通を行うように適応される。本発明の一態様では、第１、第２、第３のアクチュエータ１６a、１６b、１６cは、リニアアクチュエータ、ロータリーアクチュエータ、あるいはそれらの組み合わせである。
【００１６】
油圧システム１０の例示的操作が記載されている。動力源２８は、ポンプアッセンブリ１４のシャフト１８を回転させる。流体置換アッセンブリ１４は、変位量が固定されており、シャフト１８の完全な１回転中の流体置換アッセンブリ２０中を通る流体の量は、概して一定である。しかしながら、このすなわち、では、第１、第２、第３のアクチュエータ１６a、１６b、１６cのそれぞれは、異なる流量率と異なる圧力を必要とする。
【００１７】
図２−図５を参照すると、制御バルブ２２の動作サイクルが示されている。アクチュエータ１６の流量要求に合わせるために、制御バルブ２２は、第１、第２位置P1,P2の間で独立して作動する。この例で、制御バルブ２２は、連続的に動作する。第１制御バルブ２２aは、第２位置P2で作動すると、流体は、流体置換アッセンブリ２０の流出口３２から第１アクチュエータ１６a（図２）へ連通する。第１制御バルブ２２aが、第１位置P1に戻ると、第２制御バルブ２２bは、第２位置P2で作動し、流体は、流体置換アッセンブリ２０の流出口３２から第２アクチュエータ１６b（図３）へ連通する。第２制御バルブ２２bが、第１位置P1に戻ると、第３制御バルブ２２cは、第２位置P2で作動し、流体は、流体置換アッセンブリ２０の流出口３２から第３アクチュエータ１６c（図４）へ連通する。第３制御バルブ２２cが、第１位置P1に戻ると、第４制御バルブ２２dは、第２位置P2で作動し、流体は、流体置換アッセンブリ２０の流出口３２から流入口３０（図５）へ連通する。第４制御バルブ２２dが、第１位置P1に戻ると、複数の制御バルブ２２は、アクチュエータ１６の要求があると、再び作動する。しかしながら、制御バルブ２２の優先順位付けは、アクチュエータ１６の要求に基づく複数の制御バルブ２２の、続く作動で変化させてもよい。
【００１８】
図６を参照すると、複数の制御バルブ２２の例示的な作動のグラフが示されている。制御バルブ２２がいかなる順序で動作しても、図６に描かれた作動グラフは、上述の制御バルブ２２のシーケンシャルな作動と対応する。
【００１９】
図６に描かれた例で、作動グラフは、１サイクルでの、第１制御バルブ２２aの作動時間t1、第２制御バルブ２２bの作動時間t2、第３制御バルブ２２cの作動時間t3、および第４制御バルブ２２dの作動時間t4を含んでいる。本発明の一態様で、制御バルブ２２のそれぞれの、作動時間のオーダーの大きさは、ミリセカンドである。制御バルブ２２の作動時間tは、図６では概して、等しく持続して描かれているが、それぞれの作動時間tの持続時間が、対応するアクチュエータ１６の要求流量によって変化させることができることは、理解されるであろう。
【００２０】
油圧システム１０の動作中、制御バルブ２２のそれぞれの繰り返される作動の結果として、流体は、制御バルブ２２を介してアクチュエータ１６に向かって脈打つている。制御バルブ２２を介してのこの脈動は、流体ハンマーノイズに似たノイズに起因する。
【００２１】
図１と図７を参照すると、制御バルブ２２の作動方法２００が記載されている。車両１２は、可変速要素である。可変速要素は、周波数（振動数）が変化する。この変化する周波数は、可変速要素で意味のある音響ノイズのいずれかの周波数である。
【００２２】
可変速要素は、補助的な流体ポンプ、補助的な流体モータ、電気モータ、および動力源２８に接続される種々の装置を含むことができる。代わりに、可変速要素は、動力源２８であってもよい。記載を容易にするための目的でのみ、以下の制御バルブ２２の作動方法は、可変速要素である動力源２８で記載されている。しかしながら、本発明の範囲が、制御バルブが動力源２８であることに制限されないことは、理解されるであろう。
【００２３】
本発明の一態様では、動力源２８は、複数のシリンダ内で往復する複数のピストンを含むエンジンである。ピストンはシリンダ内を往復するとき、ピストンはシリンダの燃焼室内に燃料を吸入し、燃料が圧縮されて点火される。燃料が各燃焼室内で点火される周波数を、以下、“点火周波数”という。４ストロークエンジンで、各シリンダ内の燃料は、エンジンのクランクシャフトの２回転毎に１回点火（燃焼）される。それゆえ、このエンジンの点火周波数は、シリンダの数を２で除し、そして、その値に動力源２８の回転速度（毎秒当たりの回転数）を乗じることによって計算できる。２ストロークエンジンで、各シリンダ内の燃料は、エンジンのクランクシャフトの回転毎に１回点火（燃焼）される。それゆえ、２ストロークエンジンの点火周波数は、シリンダの数に動力源２８の回転速度（毎秒当たりの回転数）を乗じることによって計算できる。
【００２４】
方法２００のステップ２０２で、油圧システム１０のECU３４は、動力源２８についての第１入力を受信する。本発明の一態様では、第１入力は、動力源２８の回転速度と見なしている。油圧システム１０のECU３４を、動力源２８についての第１入力を受ける方法には、いろいろある。たとえば、第１入力が動力源２８の回転速度と見なす場合には、このECUは、車両のCAN−バス、動力源２８のクランクシャフトに取り付けられた速度センサ、ギアボックス（動力源２８に接続されている）の背後に配置されるセンサ、等から直接的に回転速度を受信することができる。
【００２５】
ステップ２０４において、ECU３４は、動力源２８の点火周波数を決定する。本発明の一態様では、点火周波数は動力源２８のシリンダ数を２で除し、その値に動力源２８の回転速度を乗じて計算される。
【００２６】
ステップ２０６において、制御バルブ作動周波数（振動数）は、複数の制御バルブ２２に対して選択される。制御バルブ作動周波数は、制御バルブ２２が作動する周波数である。本発明の一態様では、上記制御バルブ周波数は、制御バルブ２２に対するパルス幅変調信号の周波数であり、それは、複数の制御バルブを作動するために要求される往復の（周期）時間に等しい。
【００２７】
制御バルブ作動周波数は、動力源２８の点火周波数に応じて選択される。制御バルブ作動周波数と、動力源２８の点火周波数とのこの対応を、以下、”周波数（振動数）トラッキング”という。具体例の観点では、制御バルブ作動周波数は、動力源２８の点火周波数をたどる。言い換えれば、制御バルブ作動周波数は、動力源２８の点火周波数にほぼ等しい。
【００２８】
動力源２８の点火周波数に従って制御バルブ２２を作動することによって、制御バルブ２２の作動に伴ういかなるノイズも、動力源２８のノイズによって隠される。もし、制御バルブ２２の作動に伴うノイズが、完全に隠されなければ、制御バルブ２２の作動に伴うノイズは、少なくとも動力源２８のノイズに近似するであろう。結果として、車両のユーザは、それらのノイズが動力源２８としての類似する周波数であるので、制御バルブ２２の作動に伴うノイズについて警報を発せられず、心配するであろう。
【００２９】
ステップ２０８において、制御バルブ２２のそれぞれは、選択された制御バルブ作動周波数に従って作動する。本発明の一態様では、ECU３４は、第１、第２位置P1 ,P2間で制御バルブ２２を作動するために、制御バルブ２２のそれぞれに電気信号を送信する。
【００３０】
ステップ２１０において、点火周波数の変化が制御バルブ作動周波数の変化をもたらすことができるように、点火周波数が測定される。本発明の一態様では、点火周波数は、連続的に測定される。本発明の他の態様では、点火周波数は、間欠的に測定される。
【００３１】
図１および８を参照すると、制御バルブ２２の作動に伴うノイズを隠す他の方法３００が記載されている。ステップ３０２において、油圧システム１０のECU３４は、動力源２８についての第１入力を受信する。ステップ３０４において、ECU３４は、第１入力に基づく動力源２８の点火周波数を計算する。
【００３２】
ステップ３０６において、制御バルブ作動周波数が選択される。本発明の一態様では、制御バルブ作動周波数と点火周波数とは、調和周波数である。調和周波数は、基本周波数の整数倍である。本発明の一態様では、制御バルブ作動周波数が、動力源２８の点火周波数の調和周波数とすると、基本周波数は、動力源２８の点火周波数である。
【００３３】
本発明の他の態様では、制御バルブ作動周波数と動力源２８の点火周波数とは、サブハーモニック（低調波、分数調波）周波数である。サブハーモニック周波数は、基本周波数のn/m以下の周波数である（nは整数）。本発明の一態様では、基本周波数は点火周波数であり、そのため、制御バルブ作動周波数は、点火周波数のサブハーモニック周波数である。
【００３４】
ステップ３０８において、制御バルブ２２のそれぞれは、選択された制御バルブ作動周波数に従って作動する。
【００３５】
図１と９を参照すると、制御バルブ２２の作動に伴うノイズを隠す代わりの方法４００が記載されている。ステップ４０２において、油圧システム１０のECU３４は、動力源２８についての第１入力ばかりか、動力源２８と油圧システム１０の少なくとも一つについての第２入力（すなわち、データ、情報等）を受信する。本発明の一態様では、ECU３４は、動力源２８の出力馬力についての第２入力を受信する。本発明の他の態様では、ECU３４は、油圧システム１０内の液圧についての第２入力を受信する。本発明の他の態様では、ECU３４は、動力源２８の出力馬力と、油圧システム１０の圧力についての第２入力を受信する。
【００３６】
ステップ４０４において、ECU34は、動力源２８と油圧システム１０の少なくとも一つの第２入力と、所定リミットとを比較する。本発明の一態様では、所定リミットは上限値である。本発明の他の態様では、所定リミットは下限値である。本発明の他の態様では、所定リミットは上限値と下限値の範囲である。“所定リミットの範囲”という用語は、所定リミットが上限値であるときは、負の無限大から上限値への範囲、所定リミットが下限値であるときは、下限リミットから無限大への範囲、そして、所定リミットが上限値と下限値を有する範囲であるとき、上限値と下限値を意味するものと理解されるであろう。周波数トラッキングは、所定リミットへの第２入力の関係に基づき、ステップ４０６で可能である。たとえば、第２入力が所定リミットの範囲内にある場合、周波数トラッキングはステップ４０６で可能である。たとえば、動力源２８の馬力出力が、所定リミットの範囲内（すなわち、上限値未満か、上限値に等しいとき）にある場合、あるいは、油圧システム１０の圧力が所定リミットの範囲内（すなわち、下限値以上または下限値に等しい場合、あるいは、所定リミットの範囲内）にある場合、制御バルブ２２の作動に伴うノイズは、周波数トラッキングなしに動力源２８のノイズ以上を識別できる。
【００３７】
周波数トラッキングが可能であれば、ECU３４は、ステップ４０８で動力源２８の点火周波数を計算する。ステップ４１０で、制御バルブ作動周波数は、動力源２８の点火周波数に基づいて選択される。
【００３８】
第２入力が所定リミットの範囲外であれば、周波数トラッキングは、ステップ４１２で停止される。たとえば、動力源２８の出力馬力が所定リミット（すなわち、上限値以上）の範囲外である場合、または、油圧システム１０の圧力が所定リミット（すなわち、所定リミットの下限値以下、または範囲外）の範囲外である場合、制御バルブ２２の作動に伴うノイズが、動力源２８のノイズ以上であることを識別することは期待できない。結果として、周波数トラッキングは、制御バルブの作動に伴うノイズを隠すことは要求されない。
【００３９】
代わりに、第２入力が所定リミットの値の範囲外であれば、周波数トラッキングは、ステップ４１２で停止される。たとえば、第２入力（すなわち、馬力）が、リミットの上限および下限の範囲外であれば、周波数トラッキングは停止されるであろう。
【００４０】
周波数トラッキングの停止で、制御バルブ作動周波数は、ステップ４１４で、動力源２８の点火周波数に独立で選択される。ステップ４１６で、制御バルブ２２のそれぞれは、選択された制御バルブ作動周波数にしたがって作動する。
【００４１】
図１及び１０を参照すると、制御バルブ２２の作動に伴うノイズを隠す他の方法５００が記載されている。ステップ５０２において、油圧システム１０のECU３４は、動力源２８についての第１入力（すなわち、回転速度等）を受信する。ステップ５０４において、油圧システム１０のECU３４は、油圧システム１０についての第２入力（すなわち、データ、情報等）、および動力源２８についての第３入力を受信する。本発明の一態様では、上記第２入力は、油圧システム１０の圧力であり、一方、第３入力は、動力源２８の出力馬力である。
【００４２】
ステップ５０６において、第２入力は第１の所定のリミットと比較される。もし、第２入力が第１の所定のリミットの範囲内であれば、第３の入力がステップ５０８で第２の所定のリミットと比較される。もし、第３の入力が第２の所定リミットの範囲内であれば、周波数トラッキングはステップ５１０で可能とされる。可能とされる周波数トラッキングで、ECU３４は、ステップ５１２で、動力源２８の点火周波数を計算する。ステップ５１４で、制御バルブ作動周波数は、動力源の点火周波数に基づいて選択される。
【００４３】
第２入力が第１の所定リミットの範囲外である場合、あるいは第３入力が第２の所定リミットの範囲外である場合、制御バルブ２２の作動に伴うノイズは、動力源２８のノイズ以上を識別できないだろう。結果として、周波数トラッキングは、制御バルブ２２の作動に伴うノイズを隠すことを求められない。それゆえ、ステップ５１６において、周波数トラッキングは停止される。周波数トラッキングを停止して、制御バルブ作動周波数は、ステップ５１８において、動力源２８の点火周波数に独立に選択される。
【００４４】
ステップ５２０において、制御バルブ２２のそれぞれは、選択された制御バルブ作動周波数に従って作動する。
【００４５】
図１及び１１を参照すると、制御バルブ２２の作動に伴うノイズを隠す他の方法６００が記載されている。ステップ６０２において、油圧システム１０のECU３４は、動力源２８の回転速度を受信する。ステップ６０４において、ECU３４は、動力源２８の点火周波数を計算する。
【００４６】
ステップ６０６において、この点火周波数は、作動リミットの値と比較される。作動リミットの値は、制御バルブ２２の最大周波数である。この最大周波数は、制御バルブの最大スイッチング速度（すなわち、制御バルブが、第１、第２の位置P1,P2の間でスイッチされる速度）、所望のライフヴァリュウ（life value）を得るために必要な制御バルブのスイッチング速度、システム効率等に関係する。
【００４７】
上記点火周波数が作動リミット値より大きい場合、制御バルブ作動周波数は、制御バルブ作動周波数が点火周波数のサブハーモニック周波数であるように、ステップ６０８で選択される。点火周波数が作動リミット値以下の場合、制御バルブ作動周波数は、制御バルブ作動周波数が点火周波数に基づくように（すなわち、略等しい、ハーモニック等）、ステップ６０８で選択される。ステップ６１２において、制御バルブ２２は、選択された制御バルブ作動周波数に従って作動する。
【００４８】
ここで開示された発明のいろいろな修正や変更は、この発明の精神と要旨を逸脱しない範囲で、当業者には明白であり、また、当然ながら、この発明の要旨は、ここで説明された実施形態に極度に制限されない。
【図１】
2012506016.tif 000003
【図２】
2012506016.tif 000004
【図３】
2012506016.tif 000005
【図４】
2012506016.tif 000006
【図５】
2012506016.tif 000007
【図６】
2012506016.tif 000008
【図７】
2012506016.tif 000009
【図８】
2012506016.tif 000010
【図９】
2012506016.tif 000011
【図１０】
2012506016.tif 000012
【図１１】
2012506016.tif 000013
【国際調査報告】
2012506016.tif 000014
2012506016.tif 000015
2012506016.tif 000016